(57)【特許請求の範囲】
【請求項１】
ペットボトル飲料の生産包装設備であって、本体を含み、前記本体の中には液体注ぎ装置が設置され、前記液体注ぎ装置は前記本体の下側に位置する伝送車を含み、前記伝送車の軸心には後ろに伸びる歯車回転軸が固定的に設置され、前記伝送車の後側には伝動溝車空間が設置され、前記伝送車が後ろに伸びて前記伝動溝車空間の中に入っており、また前記伝送車には第一溝車が固定的に連結され、前記第一溝車の下側には伝動溝車が噛み合っており、前記伝動溝車空間の後側には伝動傘歯車空間が設置され、前記歯車回転軸が引き続き後ろに伸びて前記伝動傘歯車空間の中に入っており、前記歯車回転軸には連動傘歯車が固定的に連結され、前記連動傘歯車の後側には協働傘歯車が噛み合っており、前記協働傘歯車の軸心には上に伸びる第一回転軸が固定的に設置され、前記伝送車の上側には前記本体の中に位置する第一伝動空間が設置され、前記第一回転軸が上方に伸びて前記第一伝動空間の中に入っており、また前記第一回転軸には第二傘歯車が固定的に連結され、前記伝動溝車が回転して前記第二傘歯車を回転連動させ、前記液体注ぎ装置の右側には蓋取り付け装置が設置され、前記蓋取り付け装置は前記第一伝動空間の右側に位置するカム空間を含み、前記カム空間の中には右に伸びる輸送溝が形成され、前記カム空間の上下端壁には上方に伸びる第二回転軸が回転可能に連結され、前記第二回転軸には前記輸送溝の中に位置する第一カムが固定的に設置され、前記輸送溝の右側には第二伝動空間が設置され、前記輸送溝が右に伸びて前記第二伝動空間の中に入っており、前記第二伝動空間の右側には輸送空間が設置され、前記輸送空間の右端壁の下側には位置制限ブロックが固定的に設置され、前記輸送溝が右に伸びて前記輸送空間の中に入って前記位置制限ブロックと固定的に連結され、前記第一カムが回転することにより蓋を輸送し、前記蓋取り付け装置の右側には蓋閉め装置が設置され、前記蓋閉め装置は前記輸送空間の右側に位置する蓋閉め空間を含み、前記蓋閉め空間の中には前記蓋閉め空間の上端壁と回転可能に連結された第三回転軸が設置され、前記第三回転軸の下側には第一固定ブロックがねじ山により連結され、前記第一固定ブロックの下側には前記第三回転軸とスプラインにより連結された伝動ブロックが設置され、また前記第一固定ブロックと前記伝動ブロックとが二つの連結ブロックにより連結され、
前記液体注ぎ装置はまた前記第一伝動空間の中に位置する第一傘歯車を含み、前記第一傘歯車と前記第二傘歯車とが噛み合っており、前記第一傘歯車の軸心には前に伸びる第四回転軸が固定的に設置され、前記第四回転軸には前記第一傘歯車の前側に位置する第一歯車が固定的に連結され、前記第一歯車には第一固定棒状体が固定的に設置され、前記第一固定棒状体には回転ロッドが固定的に設置され、前記第一伝動空間の右側には連通空間が前記第一伝動空間と連通するように設置され、前記連通空間の右側には下押し空間が前記連通空間と連通するように設置され、前記下押し空間の中には下押しブロックがスライド可能に連結され、前記下押しブロックの内部には前に伸びる第二固定棒状体が固定的に設置され、前記第二固定棒状体には伝動ロッドが固定的に設置され、前記伝動ロッドと前記回転ロッドとがヒンジで連結され、前記下押しブロックの内部には液体貯蔵空間が設置され、前記液体貯蔵空間の後側には液体空間が設置され、前記液体空間の上端壁には外部と連通した通路が設置され、前記液体空間の右端壁には前記液体貯蔵空間と連通した液体通路が設置され、前記液体貯蔵空間の左端壁の下側には止めブロックが固定的に設置され、前記液体貯蔵空間の下端壁には前記下押しブロックの内部に位置する液体弁が固定的に設置され、前記液体弁の下側にはノズルが固定的に連結され、前記伝送車が回転して前記下押しブロックを下方に移動させることによりペットボトルに飲料を注ぎ、
前記蓋取り付け装置はまた前記第一伝動空間の中に位置する第二歯車を含み、
また前記第二歯車と前記第一歯車とが噛み合っており、前記第二歯車の軸心には前に伸びる第五回転軸が固定的に設置され、前記第五回転軸には前記第二歯車の前側に位置する第三傘歯車が設置され、前記第三傘歯車の右側には第四傘歯車が噛み合っており、前記第四傘歯車の軸心には右に伸びる第六回転軸が固定的に設置され、前記第一伝動空間の右側には傘歯車空間が設置され、前記第六回転軸が右に伸びて前記傘歯車空間の中に入っており、また前記第六回転軸には第五傘歯車が固定的に連結され、前記第五傘歯車の右側には第六傘歯車が噛み合っており、前記第六傘歯車の軸心には上方に伸びる第七回転軸が固定的に設置され、前記傘歯車空間の上側には歯車空間が設置され、前記第七回転軸が上に伸びて前記歯車空間の中に入っており、また前記第七回転軸には第三歯車が固定的に連結され、前記第三歯車の右側には第四歯車が噛み合っており、また前記第二回転軸と前記第四歯車とが固定的に連結され、前記第二伝動空間の左右端壁には前記輸送溝の上側に位置する第八回転軸が回転可能に連結され、前記第八回転軸には第一プーリと前記第一プーリの右側に位置する第五歯車が固定的に連結され、前記第二伝動空間の後側には送り空間が設置され、前記送り空間の中には第二プーリが設置され、前記第二プーリと前記第一プーリとが第一ベルトにより連結され、また前記第一ベルトの上端面には外部と連通したパイプが設置され、前記第二プーリの軸心には第九回転軸が固定的に設置され、前記第九回転軸には前記第二プーリの右側に位置する第二溝車が固定的に連結され、前記第二溝車の下側には第六歯車が噛み合っており、前記第六歯車の軸心には第十回転軸が固定的に設置され、前記第十回転軸と前記送り空間の右端壁に位置するモーターとが伝動可能に連結され、前記第五歯車の上側には第七歯車が噛み合っており、前記第七歯車の軸心には左右に伸びる傘歯車回転軸が固定的に設置され、前記傘歯車回転軸の左端と前記第二伝動空間の左端壁とが回転可能に連結され、また前記傘歯車回転軸の右端が右に伸びて前記輸送空間の中に入っており、また前記傘歯車回転軸の右端には第二カムと前記第二カムに関して対称になる二つの第二固定ブロックが固定的に連結され、前記輸送空間には前記傘歯車回転軸の下側に位置するＴ型ブロックがスライド可能に連結され、前記Ｔ型ブロックの下端面には吸盤が固定的に設置され、前記Ｔ型ブロックと二つの前記第二固定ブロックとはそれぞれ二つのばねにより固定的に連結され、前記輸送空間の左右端壁には二つの前記輸送溝と当接する移動当接ブロックが固定的に設置され、前記第四歯車が回転して前記第一カムを回転させることにより蓋を輸送し、前記モーターが始動されて吸盤を下方に移動させることにより蓋を取り付け、
前記蓋閉め装置はまた前記第二伝動空間の中に位置する第七傘歯車を含み、前記第七傘歯車は、前記傘歯車回転軸と固定的に連結され、かつ前記第七歯車の左側に位置しており、前記第七傘歯車の右側には第八傘歯車が噛み合っており、前記第八傘歯車の軸心には上に伸びる伝動回転軸が固定的に設置され、前記伝動回転軸には前記第八傘歯車の上側に位置する第三プーリが固定的に連結され、前記蓋閉め空間には前記第一固定ブロックの上側に位置し、かつ前記第三プーリと同じレベルに位置する第四プーリが固定的に連結され、また前記第四プーリと前記第三プーリとが第二ベルトにより連結され、前記第一固定ブロックの内部には前記第三回転軸に関して対称になる二つの下押し斜面ブロックが設置され、また二つの前記下押し斜面ブロックの対称中心から離れた端面は斜面構成であり、前記伝動ブロックの内部には前記第三回転軸に関して対称になる二つの挟持ロッドが設置され、前記蓋閉め空間の左端壁と右端壁の下側には前記第三回転軸に関して対称になる二つの第三固定ブロックが設置され、二つの前記第三固定ブロックの内部にはそれぞれ一つの移動溝が形成され、二つの前記移動溝の中にはそれぞれ一つの移動斜面ブロックがスライド可能に連結され、二つの前記移動斜面ブロックにおいて対称中心から離れた端面にはそれぞれ一つの復帰ばねが固定的に設置され、二つの前記復帰ばねにおいて対称中心から離れた一端がそれぞれ前記蓋閉め空間の左端壁と前記蓋閉め空間の右端壁と固定的に連結され、前記第三プーリが回転して前記第一固定ブロックを下方に移動させ、そして二つの前記挟持ロッドが蓋をきつく挟み、前記伝動ブロックが回転して蓋を閉めることを特徴とするペットボトル飲料の生産包装設備。
【発明の詳細な説明】
【技術分野】
【０００１】
本願発明は飲み物の生産と包装分野に関わり、具体的にはペットボトル飲料の生産包装設備である。
【背景技術】
【０００２】
飲料を生産して包装する時、飲料をペットボトルに注いで、蓋を閉めて包装してから、ペットボトル飲料を販売する。既存の加工過程において、蓋取り付けや蓋閉めなどの流れは全部単独の加工部門で完成され、従い、ペットボトル飲料が一部加工完成後に、他の部門に転送することは時間を費やし、また転送過程に、加工問題が出やすい。
【先行技術文献】
【特許文献】
【０００３】
【特許文献１】中国特許出願公開第１０１６５７３７０号明細書
【発明の概要】
【発明が解決しようとする課題】
【０００４】
上記の技術不足に対して、本願発明はペットボトル飲料の生産包装設備を提供する。
【課題を解決するための手段】
【０００５】
本願発明に記載のペットボトル飲料の生産包装設備は、本体を含み、前記本体の中には液体注ぎ装置が設置され、前記液体注ぎ装置は前記本体の下側に位置する伝送車を含み、前記伝送車の軸心には後ろに伸びる歯車回転軸が固定的に設置され、前記伝送車の後側には伝動溝車空間が設置され、前記伝送車が後ろに伸びて前記伝動溝車空間の中に入っており、また前記伝送車には第一溝車が固定的に連結され、前記第一溝車の下側には伝動溝車が噛み合っており、前記伝動溝車空間の後側には伝動傘歯車空間が設置され、前記歯車回転軸が引き続き後ろに伸びて前記伝動傘歯車空間の中に入っており、前記歯車回転軸には連動傘歯車が固定的に連結され、前記連動傘歯車の後側には協働傘歯車が噛み合っており、前記協働傘歯車の軸心には上に伸びる第一回転軸が固定的に設置され、前記伝送車の上側には前記本体の中に位置する第一伝動空間が設置され、前記第一回転軸が上方に伸びて前記第一伝動空間の中に入っており、また前記第一回転軸には第二傘歯車が固定的に連結され、前記伝動溝車が回転して前記第二傘歯車を回転連動させ、前記液体注ぎ装置の右側には蓋取り付け装置が設置され、前記蓋取り付け装置は前記第一伝動空間の右側に位置するカム空間を含み、前記カム空間の中には右に伸びる輸送溝が形成され、前記カム空間の上下端壁には上方に伸びる第二回転軸が回転可能に連結され、前記第二回転軸には前記輸送溝の中に位置する第一カムが固定的に設置され、前記輸送溝の右側には第二伝動空間が設置され、前記輸送溝が右に伸びて前記第二伝動空間の中に入っており、前記第二伝動空間の右側には輸送空間が設置され、前記輸送空間の右端壁の下側には位置制限ブロックが固定的に設置され、前記輸送溝が右に伸びて前記輸送空間の中に入って前記位置制限ブロックと固定的に連結され、前記第一カムが回転することにより蓋を輸送し、前記蓋取り付け装置の右側には蓋閉め装置が設置され、前記蓋閉め装置は前記輸送空間の右側に位置する蓋閉め空間を含み、前記蓋閉め空間の中には前記蓋閉め空間の上端壁と回転可能に連結された第三回転軸が設置され、前記第三回転軸の下側には第一固定ブロックがねじ山により連結され、前記第一固定ブロックの下側には前記第三回転軸とスプラインにより連結された伝動ブロックが設置され、また前記第一固定ブロックと前記伝動ブロックとが二つの連結ブロックにより連結されている。
【０００６】
前記液体注ぎ装置はまた前記第一伝動空間の中に位置する第一傘歯車を含み、前記第一傘歯車と前記第二傘歯車とが噛み合っており、前記第一傘歯車の軸心には前に伸びる第四回転軸が固定的に設置され、前記第四回転軸には前記第一傘歯車の前側に位置する第一歯車が固定的に連結され、前記第一歯車には第一固定棒状体が固定的に設置され、前記第一固定棒状体には回転ロッドが固定的に設置され、前記第一伝動空間の右側には連通空間が前記第一伝動空間と連通するように設置され、前記連通空間の右側には下押し空間が前記連通空間と連通するように設置され、前記下押し空間の中には下押しブロックがスライド可能に連結され、前記下押しブロックの内部には前に伸びる第二固定棒状体が固定的に設置され、前記第二固定棒状体には伝動ロッドが固定的に設置され、前記伝動ロッドと前記回転ロッドとがヒンジで連結され、前記下押しブロックの内部には液体貯蔵空間が設置され、前記液体貯蔵空間の後側には液体空間が設置され、前記液体空間の上端壁には外部と連通した通路が設置され、前記液体空間の右端壁には前記液体貯蔵空間と連通した液体通路が設置され、前記液体貯蔵空間の左端壁の下側には止めブロックが固定的に設置され、前記液体貯蔵空間の下端壁には前記下押しブロックの内部に位置する液体弁が固定的に設置され、前記液体弁の下側にはノズルが固定的に連結され、前記伝送車が回転して前記下押しブロックを下方に移動させることによりペットボトルに飲料を注ぐ。
【０００７】
前記蓋取り付け装置はまた前記第一伝動空間の中に位置する第二歯車を含み、また前記第二歯車と前記第一歯車とが噛み合っており、前記第二歯車の軸心には前に伸びる第五回転軸が固定的に設置され、前記第五回転軸には前記第二歯車の前側に位置する第三傘歯車が設置され、前記第三傘歯車の右側には第四傘歯車が噛み合っており、前記第四傘歯車の軸心には右に伸びる第六回転軸が固定的に設置され、前記第一伝動空間の右側には傘歯車空間が設置され、前記第六回転軸が右に伸びて前記傘歯車空間の中に入っており、また前記第六回転軸には第五傘歯車が固定的に連結され、前記第五傘歯車の右側には第六傘歯車が噛み合っており、前記第六傘歯車の軸心には上方に伸びる第七回転軸が固定的に設置され、前記傘歯車空間の上側には歯車空間が設置され、前記第七回転軸が上に伸びて前記歯車空間の中に入っており、また前記第七回転軸には第三歯車が固定的に連結され、前記第三歯車の右側には第四歯車が噛み合っており、また前記第二回転軸と前記第四歯車とが固定的に連結され、前記第二伝動空間の左右端壁には前記輸送溝の上側に位置する第八回転軸が回転可能に連結され、前記第八回転軸には第一プーリと前記第一プーリの右側に位置する第五歯車が固定的に連結され、前記第二伝動空間の後側には送り空間が設置され、前記送り空間の中には第二プーリが設置され、前記第二プーリと前記第一プーリとが第一ベルトにより連結され、また前記第一ベルトの上端面には外部と連通したパイプが設置され、前記第二プーリの軸心には第九回転軸が固定的に設置され、前記第九回転軸には前記第二プーリの右側に位置する第二溝車が固定的に連結され、前記第二溝車の下側には第六歯車が噛み合っており、前記第六歯車の軸心には第十回転軸が固定的に設置され、前記第十回転軸と前記送り空間の右端壁に位置するモーターとが伝動可能に連結され、前記第五歯車の上側には第七歯車が噛み合っており、前記第七歯車の軸心には左右に伸びる傘歯車回転軸が固定的に設置され、前記傘歯車回転軸の左端と前記第二伝動空間の左端壁とが回転可能に連結され、また前記傘歯車回転軸の右端が右に伸びて前記輸送空間の中に入っており、また前記傘歯車回転軸の右端には第二カムと前記第二カムに関して対称になる二つの第二固定ブロックが固定的に連結され、前記輸送空間には前記傘歯車回転軸の下側に位置するＴ型ブロックがスライド可能に連結され、前記Ｔ型ブロックの下端面には吸盤が固定的に設置され、前記Ｔ型ブロックと二つの前記第二固定ブロックとはそれぞれ二つのばねにより固定的に連結され、前記輸送空間の左右端壁には二つの前記輸送溝と当接する移動当接ブロックが固定的に設置され、前記第四歯車が回転して前記第一カムを回転させることにより蓋を輸送し、前記モーターが始動されて吸盤を下方に移動させることにより蓋を取り付ける。
【０００８】
前記蓋閉め装置はまた前記第二伝動空間の中に位置する第七傘歯車を含み、前記第七傘歯車は、前記傘歯車回転軸と固定的に連結され、かつ前記第七歯車の左側に位置しており、前記第七傘歯車の右側には第八傘歯車が噛み合っており、前記第八傘歯車の軸心には上に伸びる伝動回転軸が固定的に設置され、前記伝動回転軸には前記第八傘歯車の上側に位置する第三プーリが固定的に連結され、前記蓋閉め空間には前記第一固定ブロックの上側に位置し、かつ前記第三プーリと同じレベルに位置する第四プーリが固定的に連結され、また前記第四プーリと前記第三プーリとが第二ベルトにより連結され、前記第一固定ブロックの内部には前記第三回転軸に関して対称になる二つの下押し斜面ブロックが設置され、また二つの前記下押し斜面ブロックの対称中心から離れた端面は斜面構成であり、前記伝動ブロックの内部には前記第三回転軸に関して対称になる二つの挟持ロッドが設置され、前記蓋閉め空間の左端壁と右端壁の下側には前記第三回転軸に関して対称になる二つの第三固定ブロックが設置され、二つの前記第三固定ブロックの内部にはそれぞれ一つの移動溝が形成され、二つの前記移動溝の中にはそれぞれ一つの移動斜面ブロックがスライド可能に連結され、二つの前記移動斜面ブロックにおいて対称中心から離れた端面にはそれぞれ一つの復帰ばねが固定的に設置され、二つの前記復帰ばねにおいて対称中心から離れた一端がそれぞれ前記蓋閉め空間の左端壁と前記蓋閉め空間の右端壁と固定的に連結され、前記第三プーリが回転して前記第一固定ブロックを下方に移動させ、そして二つの前記挟持ロッドが蓋をきつく挟み、前記伝動ブロックが回転して蓋を閉める。
【発明の効果】
【０００９】
本願発明の効果は：本願発明に記載された加工ベルトの後側には間欠伝動機構が設置されることにより、ベルトがペットボトルを間欠的に輸送でき、飲料をペットボトルに注ぐこととペットボトル飲料を包装することに十分な時間を与えられ、本願発明には液体注ぎ装置が設置され、ペットボトルに液体の飲料を間欠的に注げ、また毎回注がれた飲料の量が同じであり、飲料をペットボトルに注ぐ時、液体が溢れることを避け、液体注ぎ装置にはまた蓋取り付け装置と蓋閉め装置が設置され、ペットボトルに蓋を取り付けて閉められる。本願発明は効率が高く、自動化程度も高く、適用範囲が広くて浪費をもたらさない。
【図面の簡単な説明】
【００１０】
下記に図１〜８をあわせて本発明について詳しく説明し、便利に説明するために、下記の方向を以下のように規定する：図１は本発明装置の正面図であり、本願に記載の各方向が、図１と同じ向きに装置を見た際の方向である。
【００１１】
【図１】図１は本願発明の全体構成概略図
【図２】図２は図１の「Ａ」部の拡大構成概略図
【図３】図３は図２の「Ｂ―Ｂ」方向の構成概略図
【図４】図４は図３の「Ｃ―Ｃ」方向の構成概略図
【図５】図５は図１の「Ｄ」部の拡大構成概略図
【図６】図６は図５の「Ｅ―Ｅ」方向の構成概略図
【図７】図７は図１における加工ベルトの後側の構成概略図
【図８】図８は図７の「Ｆ―Ｆ」方向の構成概略図
【発明を実施するための形態】
【００１２】
本願発明はペットボトル飲料の生産包装設備であり、主にペットボトル飲料の包装作業に用いられ、下記に本願発明の附図に合わせて更なる説明を行う。
【００１３】
本願発明に記載のペットボトル飲料の生産包装設備は、本体１０を含み、前記本体１０の中には液体注ぎ装置９０１が設置され、前記液体注ぎ装置９０１は前記本体１０の下側に位置する伝送車２０を含み、前記伝送車２０の軸心には後ろに伸びる歯車回転軸９２が固定的に設置され、前記伝送車２０の後側には伝動溝車空間９１が設置され、前記伝送車２０が後ろに伸びて前記伝動溝車空間９１の中に入っており、また前記伝送車２０には第一溝車８９が固定的に連結され、前記第一溝車８９の下側には伝動溝車９０が噛み合っており、前記伝動溝車空間９１の後側には伝動傘歯車空間９３が設置され、前記歯車回転軸９２が引き続き後ろに伸びて前記伝動傘歯車空間９３の中に入っており、前記歯車回転軸９２には連動傘歯車９４が固定的に連結され、前記連動傘歯車９４の後側には協働傘歯車９５が噛み合っており、前記協働傘歯車９５の軸心には上に伸びる第一回転軸１７が固定的に設置され、前記伝送車２０の上側には前記本体１０の中に位置する第一伝動空間５６が設置され、前記第一回転軸１７が上方に伸びて前記第一伝動空間５６の中に入っており、また前記第一回転軸１７には第二傘歯車１５が固定的に連結され、前記伝動溝車９０が回転して前記第二傘歯車１５を回転連動させ、前記液体注ぎ装置９０１の右側には蓋取り付け装置９０２が設置され、前記蓋取り付け装置９０２は前記第一伝動空間５６の右側に位置するカム空間２５を含み、前記カム空間２５の中には右に伸びる輸送溝２４が形成され、前記カム空間２５の上下端壁には上方に伸びる第二回転軸４５が回転可能に連結され、前記第二回転軸４５には前記輸送溝２４の中に位置する第一カム２６が固定的に設置され、前記輸送溝２４の右側には第二伝動空間５９が設置され、前記輸送溝２４が右に伸びて前記第二伝動空間５９の中に入っており、前記第二伝動空間５９の右側には輸送空間６９が設置され、前記輸送空間６９の右端壁の下側には位置制限ブロック２９が固定的に設置され、前記輸送溝２４が右に伸びて前記輸送空間６９の中に入って前記位置制限ブロック２９と固定的に連結され、前記第一カム２６が回転することにより蓋を輸送し、前記蓋取り付け装置９０２の右側には蓋閉め装置９０３が設置され、前記蓋閉め装置９０３は前記輸送空間６９の右側に位置する蓋閉め空間３９を含み、前記蓋閉め空間３９の中には前記蓋閉め空間３９の上端壁と回転可能に連結された第三回転軸４１が設置され、前記第三回転軸４１の下側には第一固定ブロック３８がねじ山により連結され、前記第一固定ブロック３８の下側には前記第三回転軸４１とスプラインにより連結された伝動ブロック３６が設置され、また前記第一固定ブロック３８と前記伝動ブロック３６とが二つの連結ブロック３７により連結されている。
【００１４】
前記液体注ぎ装置９０１はまた前記第一伝動空間５６の中に位置する第一傘歯車１１を含み、前記第一傘歯車１１と前記第二傘歯車１５とが噛み合っており、前記第一傘歯車１１の軸心には前に伸びる第四回転軸１３が固定的に設置され、前記第四回転軸１３には前記第一傘歯車１１の前側に位置する第一歯車１４が固定的に連結され、前記第一歯車１４には第一固定棒状体１２が固定的に設置され、前記第一固定棒状体１２には回転ロッド１６が固定的に設置され、前記第一伝動空間５６の右側には連通空間９９が前記第一伝動空間５６と連通するように設置され、前記連通空間９９の右側には下押し空間２３が前記連通空間９９と連通するように設置され、前記下押し空間２３の中には下押しブロック２１がスライド可能に連結され、前記下押しブロック２１の内部には前に伸びる第二固定棒状体８４が固定的に設置され、前記第二固定棒状体８４には伝動ロッド１８が固定的に設置され、前記伝動ロッド１８と前記回転ロッド１６とがヒンジで連結され、前記下押しブロック２１の内部には液体貯蔵空間２２が設置され、前記液体貯蔵空間２２の後側には液体空間８６が設置され、前記液体空間８６の上端壁には外部と連通した通路８５が設置され、前記液体空間８６の右端壁には前記液体貯蔵空間２２と連通した液体通路８８が設置され、前記液体貯蔵空間２２の左端壁の下側には止めブロック８７が固定的に設置され、前記液体貯蔵空間２２の下端壁には前記下押しブロック２１の内部に位置する液体弁７７が固定的に設置され、前記液体弁７７の下側にはノズル７８が固定的に連結され、前記伝送車２０が回転して前記下押しブロック２１を下方に移動させることによりペットボトルに飲料を注ぐ。
【００１５】
前記蓋取り付け装置９０２はまた前記第一伝動空間５６の中に位置する第二歯車５５を含み、また前記第二歯車５５と前記第一歯車１４とが噛み合っており、前記第二歯車５５の軸心には前に伸びる第五回転軸５７が固定的に設置され、前記第五回転軸５７には前記第二歯車５５の前側に位置する第三傘歯車５４が設置され、前記第三傘歯車５４の右側には第四傘歯車５３が噛み合っており、前記第四傘歯車５３の軸心には右に伸びる第六回転軸５２が固定的に設置され、前記第一伝動空間５６の右側には傘歯車空間４４が設置され、前記第六回転軸５２が右に伸びて前記傘歯車空間４４の中に入っており、また前記第六回転軸５２には第五傘歯車５０が固定的に連結され、前記第五傘歯車５０の右側には第六傘歯車４７が噛み合っており、前記第六傘歯車４７の軸心には上方に伸びる第七回転軸４９が固定的に設置され、前記傘歯車空間４４の上側には歯車空間５１が設置され、前記第七回転軸４９が上に伸びて前記歯車空間５１の中に入っており、また前記第七回転軸４９には第三歯車４８が固定的に連結され、前記第三歯車４８の右側には第四歯車４６が噛み合っており、また前記第二回転軸４５と前記第四歯車４６とが固定的に連結され、前記第二伝動空間５９の左右端壁には前記輸送溝２４の上側に位置する第八回転軸６１が回転可能に連結され、前記第八回転軸６１には第一プーリ６０と前記第一プーリ６０の右側に位置する第五歯車６３が固定的に連結され、前記第二伝動空間５９の後側には送り空間７５が設置され、前記送り空間７５の中には第二プーリ７６が設置され、前記第二プーリ７６と前記第一プーリ６０とが第一ベルト６２により連結され、また前記第一ベルト６２の上端面には外部と連通したパイプ７４が設置され、前記第二プーリ７６の軸心には第九回転軸８０が固定的に設置され、前記第九回転軸８０には前記第二プーリ７６の右側に位置する第二溝車７９が固定的に連結され、前記第二溝車７９の下側には第六歯車８３が噛み合っており、前記第六歯車８３の軸心には第十回転軸８２が固定的に設置され、前記第十回転軸８２と前記送り空間７５の右端壁に位置するモーター８１とが伝動可能に連結され、前記第五歯車６３の上側には第七歯車７０が噛み合っており、前記第七歯車７０の軸心には左右に伸びる傘歯車回転軸５８が固定的に設置され、前記傘歯車回転軸５８の左端と前記第二伝動空間５９の左端壁とが回転可能に連結され、また前記傘歯車回転軸５８の右端が右に伸びて前記輸送空間６９の中に入っており、また前記傘歯車回転軸５８の右端には第二カム６６と前記第二カム６６に関して対称になる二つの第二固定ブロック６８が固定的に連結され、前記輸送空間６９には前記傘歯車回転軸５８の下側に位置するＴ型ブロック６４がスライド可能に連結され、前記Ｔ型ブロック６４の下端面には吸盤６５が固定的に設置され、前記Ｔ型ブロック６４と二つの前記第二固定ブロック６８とはそれぞれ二つのばね６７により固定的に連結され、前記輸送空間６９の左右端壁には二つの前記輸送溝２４と当接する移動当接ブロック２８が固定的に設置され、前記第四歯車４６が回転して前記第一カム２６を回転させることにより蓋を輸送し、前記モーター８１が始動されて吸盤６５を下方に移動させることにより蓋を取り付ける。
【００１６】
前記蓋閉め装置９０３はまた前記第二伝動空間５９の中に位置する第七傘歯車７３を含み、前記第七傘歯車７３は、前記傘歯車回転軸５８と固定的に連結され、かつ前記第七歯車７０の左側に位置しており、前記第七傘歯車７３の右側には第八傘歯車７１が噛み合っており、前記第八傘歯車７１の軸心には上に伸びる伝動回転軸７２が固定的に設置され、前記伝動回転軸７２には前記第八傘歯車７１の上側に位置する第三プーリ４３が固定的に連結され、前記蓋閉め空間３９には前記第一固定ブロック３８の上側に位置し、かつ前記第三プーリ４３と同じレベルに位置する第四プーリ４０が固定的に連結され、また前記第四プーリ４０と前記第三プーリ４３とが第二ベルト４２により連結され、前記第一固定ブロック３８の内部には前記第三回転軸４１に関して対称になる二つの下押し斜面ブロック３４が設置され、また二つの前記下押し斜面ブロック３４の対称中心から離れた端面は斜面構成であり、前記伝動ブロック３６の内部には前記第三回転軸４１に関して対称になる二つの挟持ロッド３５が設置され、前記蓋閉め空間３９の左端壁と右端壁の下側には前記第三回転軸４１に関して対称になる二つの第三固定ブロック３３が設置され、二つの前記第三固定ブロック３３の内部にはそれぞれ一つの移動溝３２が形成され、二つの前記移動溝３２の中にはそれぞれ一つの移動斜面ブロック３０がスライド可能に連結され、二つの前記移動斜面ブロック３０において対称中心から離れた端面にはそれぞれ一つの復帰ばね３１が固定的に設置され、二つの前記復帰ばね３１において対称中心から離れた一端がそれぞれ前記蓋閉め空間３９の左端壁と前記蓋閉め空間３９の右端壁と固定的に連結され、前記第三プーリ４３が回転して前記第一固定ブロック３８を下方に移動させ、そして二つの前記挟持ロッド３５が蓋をきつく挟み、前記伝動ブロック３６が回転して蓋を閉める。
【００１７】
以下、附図１〜８を参照し、本願発明の使用手順を詳しく説明する。
【００１８】
初期状態に、揺れドア１９を開け、ペットボトルを加工ベルトに置き、伝送車２０が動かなく、モーター８１が起動しなく、下押しブロック２１と、吸盤６５と、第一固定ブロック３８と、伝動ブロック３６とが全部本体１０の内部に位置している。
【００１９】
作動の時、伝動溝車９０が回転して第一溝車８９を駆動することにより、伝送車２０と歯車回転軸９２が回転し、伝送車２０が回転して蓋を間欠的に輸送し、歯車回転軸９２が回転して連動傘歯車９４を回転連動させることにより、協働傘歯車９５が回転し、そして第一回転軸１７が回転して第二傘歯車１５を回転連動させることにより第一傘歯車１１が回転し、さらに、第四回転軸１３が回転して第一歯車１４と第一固定棒状体１２を回転させ、第一固定棒状体１２が回転ロッド１６を駆動して回転させることにより伝動ロッド１８が回転し、そして下押しブロック２１が下方に移動して止めブロック８７と液体弁７７とノズル７８を駆動して下方に移動させ、ここで液体は液体通路８８を介して液体貯蔵空間２２の中に流れ込み、液体弁７７が開けられてペットボトルに液体を注ぎ、
第一歯車１４が回転して第二歯車５５を回転連動させることにより、第五回転軸５７が回転し、そして第三傘歯車５４が回転して第四傘歯車５３を回転連動させることにより、第六回転軸５２が回転し、第五傘歯車５０が回転して第六傘歯車４７を回転させることにより、第七回転軸４９が回転し、さらに第三歯車４８が回転して第四歯車４６を回転連動させることにより、第二回転軸４５が回転し、第一カム２６が回転し、モーター８１が始動されて第十回転軸８２を回転連動させることにより第六歯車８３が回転し、そして第二溝車７９が回転して第九回転軸８０を回転連動させることにより第二プーリ７６が回転し、さらに第一ベルト６２が回転して第一プーリ６０を回転連動させ、蓋を第四固定ブロック２７に送り、第一カム２６が回転して第四固定ブロック２７にある蓋を輸送空間６９の中に位置する二つの移動当接ブロック２８に送り、第一プーリ６０が回転して第五歯車６３を回転連動させることにより、第七歯車７０が回転し、そして傘歯車回転軸５８と第七傘歯車７３が回転し、傘歯車回転軸５８が回転して第二カム６６を回転連動させることによりＴ型ブロック６４と吸盤６５が下方に移動し、そして吸盤６５により蓋をペットボトルに置き、
第七傘歯車７３が回転して第八傘歯車７１を回転連動させることにより伝動回転軸７２が回転し、そして第三プーリ４３が回転して第二ベルト４２を回転連動させることにより第四プーリ４０が回転し、さらに第三回転軸４１が回転して第一固定ブロック３８と伝動ブロック３６を下方に移動させることにより二つの下押し斜面ブロック３４がそれぞれ二つの移動斜面ブロック３０と当接し、二つの挟持ロッド３５が対称中心に移動して蓋をきつく挟み、第三回転軸４１が回転して伝動ブロック３６を回転連動させることにより蓋を閉め、包装が完成され、ペットボトル飲料が右に輸送される。
【００２０】
上記の実施例は本願発明の技術的構想と特徴を説明するだけであり、その目的は当業者に本願発明内容を了解させてさらに実施させるのであり、本願発明の保護範囲を制限することはできない。本願発明の精神の実質に基づいて行われたすべての等価的な変化又は修飾は、本願発明の保護範囲の中に含むべきである。
【要約】
【課題】本発明はペットボトル飲料の生産包装設備を開示した。
【解決手段】
本体を含み、前記本体の中には液体注ぎ装置が設置され、前記液体注ぎ装置は前記本体の下側に位置する伝送車を含み、前記伝送車の軸心には後ろに伸びる歯車回転軸が固定的に設置され、本願発明に記載された加工ベルトの後側には間欠伝動機構が設置されることにより、ベルトがペットボトルを間欠的に輸送でき、飲料をペットボトルに注ぐこととペットボトル飲料を包装することに十分な時間を与えられ、本願発明には液体注ぎ装置が設置され、ペットボトルに液体の飲料を間欠的に注げ、また毎回注がれた飲料の量が同じであり、飲料をペットボトルに注ぐ時、液体が溢れることを避け、液体注ぎ装置にはまた蓋取り付け装置と蓋閉め装置が設置され、ペットボトルに蓋を取り付けて閉められる。
【選択図】図１【図１】
0006807514.tif 000002
【図２】
0006807514.tif 000003
【図３】
0006807514.tif 000004
【図４】
0006807514.tif 000005
【図５】
0006807514.tif 000006
【図６】
0006807514.tif 000007
【図７】
0006807514.tif 000008
【図８】
0006807514.tif 000009